(57)【特許請求の範囲】
【請求項１】
降雨時の自動車への乗降、荷物積み卸しに際して乗降者、作業者が雨に濡れるのを防止するための自動車用雨よけ装置であって、
該自動車用雨よけ装置は、防雨板と該防雨板を進退可能に保持する枠体からなり、
該枠体は四角形状枠で自動車の屋根に水平固定されて前記防雨板を一方の車側側に進退可能に摺動させるもので、進出車側側から見て左右となる枠材の内側には進出側から反対側に向けて僅かに上り勾配の凹状溝が形成されており、
前記防雨板は両端が前記凹状溝に入る厚みの四角形状板で、左右端部を前記凹状溝の下側側面に摺動させながら前記枠体から車側側に進退するもので、進出端の辺側には該辺の幅より長い把手棒が取りつけてあり、前記凹状溝に嵌まる左右端部上面には平歯車状凹凸材が側辺全域に貼りつけてあり、
更に、前記枠体の左右枠材の防雨板進出側端部近くには前記凹状溝を上下方向に拡幅した拡幅部を形成し、該拡幅部内には前記防雨板の平歯車状凹凸材に噛合し、前記把手棒に人力が加えられていない状態では防雨板を前記凹状溝下側側面に押しつけて移動停止させておくバネで付勢された押し付け部材が取り付けてあり、防雨板を進出側に大きく進出させた場合には防雨板後部の左右端近くに立設した防雨板側ストッパー棒が枠体の左右枠材の防雨板進出側端部近くに内側に向けて立設した枠体側ストッパー棒に当接して防雨板の枠体からの抜け落ちが防止されるように構成されており、
防雨板を進退移動させる際には、前記把手棒を手で操作して前記押し付け部材の押し付け力に抗して防雨板を前後移動させるように構成されていることを特徴とする自動車用雨よけ装置。
【請求項２】
請求項１に記載の自動車用雨よけ装置の２式を、前記防雨板が左右車側側に進退するように左右対称に配置して２式の装置の枠体を連結固定したことを特徴とする自動車用雨よけ装置。
【請求項３】
請求項１又は２に記載の自動車用雨よけ装置において、前記枠体の左右枠材の前記防雨板進出側端部近くの外側面には、該外側面に直角に取りつけた回転軸周りに垂直旋回するフックを取り付け、前記防雨板を最後退位置に後退させた状態では該フックを防雨板の前記把手棒に掛けることにより防雨板の進出を防止し、防雨板を進出させる際にはフックを後方側に倒して把手棒から外すことにより防雨板の進出を可能とするように構成されていることを特徴とする自動車用雨よけ装置。
【発明の詳細な説明】
【技術分野】
【０００１】
本発明は、降雨の際に自動車の乗降者、貨物の積み卸しをする作業者、積み卸し貨物等が雨に濡れるのを防止する自動車用雨よけ装置に関する。
【背景技術】
【０００２】
降雨の際に自動車の利用者が雨に濡れずに乗り降りしたり、貨物の積み下ろしをしたりするのは困難である。特に利用者が車椅子に乗った障害者、高齢者、幼児を抱えた人等の場合は傘の開閉や乗降の際に雨に濡れるのは避けられない。また、貨物配送車の場合には積み卸し作業者、貨物も雨に濡れてしまう。
【０００３】
こうした自動車への乗降、貨物積み卸しの際に乗降者、作業者が雨に濡れる問題を解決するための自動車用雨よけ装置が各種提案されている。例えば、特許文献１には、雨よけシートを巻き付けた状態で収納する収納部材を永久磁石で車体屋根に固定し、リンク機構を使用してシートを雨の際に展開させる自動車用雨よけ装置が提案されている。しかし、重量のあるシート収納部材を磁石だけで車体屋根に固定しておくのは走行時の脱落が心配である。また、シート展開のためのリンク機構も複雑であり、大型車両には適用困難である。
【０００４】
また、特許文献２、３には、ドア近傍の車体屋根にヒンジで固定した天蓋体収納ボックスに納められた天蓋体がドアの開閉時にドアに引っ張れて扇状に開閉する自動車の雨天昇降用天蓋が開示されている。しかし、この装置ではドア近傍の狭い範囲しかカバーできない問題がある。
【先行技術文献】
【特許文献】
【０００５】
【特許文献１】特開２００２−２９６３号公報
【特許文献２】特開平９−３９５７５号公報
【特許文献３】特開２００５−１１２３２１号公報
【発明の概要】
【発明が解決しようとする課題】
【０００６】
本発明は、従来技術のこうした問題点を解決するためになされたもので、その課題は
降雨の際に自動車の乗降者、貨物の積み卸しをする作業者、積み卸し貨物等が雨に濡れるのを防止するための強固で広い範囲をカバーできる自動車用雨よけ装置を提供することにある。
【課題を解決するための手段】
【０００７】
前記課題を解決するための請求項１に記載の発明は、降雨時の自動車への乗降、荷物積み卸しに際して乗降者、作業者が雨に濡れるのを防止するための自動車用雨よけ装置であって、該自動車用雨よけ装置は、防雨板と該防雨板を進退可能に保持する枠体からなり、該枠体は四角形状枠で自動車の屋根に水平固定されて防雨板を一方の車側側に進退可能に摺動させるもので、進出車側側から見て左右となる枠材の内側には進出側から反対側に向けて僅かに上り勾配の凹状溝が形成されており、防雨板は両端が凹状溝に入る厚みの四角形状板で、左右端部を凹状溝下側側面に摺動させながら枠体から車側側に進退するもので、進出端の辺側には該辺の幅より長い把手棒が取りつけてあり、凹状溝に嵌まる左右端部上面には平歯車状凹凸が側辺全域に形成されており、更に、枠体の左右枠材の防雨板進出側端部近くには凹状溝を上下方向に拡幅した拡幅部を形成し、該拡幅部内には防雨板の平歯車状凹凸に噛合し、把手棒に人力が加えられていない状態では防雨板を凹状溝下側側面に押しつけて移動停止させておくバネで付勢された押し付け部材が取り付けてあり、防雨板を進出側に大きく進出させた場合には防雨板後部の左右端近くに立設した防雨板側ストッパー棒が枠体の左右枠材の防雨板進出側端部近くに内側に向けて立設した枠体側ストッパー棒に当接して防雨板の枠体からの抜け落ちが防止されるように構成されており、防雨板を進退移動させる際には、把手棒を手で操作して押し付け部材の押し付け力に抗して防雨板を前後移動させるように構成されていることを特徴とする自動車用雨よけ装置である。
【０００８】
このような構成の自動車用雨よけ装置を使用すれば、貨物配送車の配送作業者が雨の中で荷物の積み卸しをする際には防雨板を引きだしておくことで作業者は雨に濡れず、貨物も雨に濡れるのが防止される。また、車椅子に乗った障害者、高齢者、幼児を抱えた人等が自動車に乗降する際も雨に濡れずに済む利点を有する。
【０００９】
また、請求項２に記載の発明は、請求項１に記載の自動車用雨よけ装置の２式を、防雨板が左右車側側に進退するように左右対称に配置して２式の装置の枠体を連結固定したことを特徴とする自動車用雨よけ装置である。
【００１０】
このような構成とすれば自動車の任意車側側で乗降、作業する場合も雨に濡れずに済む利点を有する。
【００１１】
また、請求項３に記載の発明は、請求項１又は２に記載の自動車用雨よけ装置において、枠体の左右枠材の防雨板進出側端部近くの外側面には、該外側面に直角に取りつけた回転軸周りに垂直旋回するフックを取り付け、防雨板を最後退位置に後退させた状態では該フックを防雨板の把手棒に掛けることにより防雨板の進出を防止し、防雨板を進出させる際にはフックを後方側に倒して把手棒から外すことにより防雨板の進出を可能とするように構成されていることを特徴とする自動車用雨よけ装置である。
【００１２】
このような防雨板の進出防止機構を取りつけておけば、車両の走行時に予想外の振動があったとしても防雨板が進出するのが防止される。
【図面の簡単な説明】
【００１３】
【図１】第１の実施形態に係る自動車用雨よけ装置１の外観斜視図である。
【図２】防雨板２を最進出位置まで進出させた状態の外観斜視図である。
【図３】自動車用雨よけ装置１の使用状態の一例である。
【図４】枠体３の平面図である。
【図５】防雨板２の平面図である。
【図６】図１のＡ−Ａ線に沿った断面図である。
【図７】図２のＢ−Ｂ線に沿った断面図である。
【図８】図４のＣ−Ｃ線に沿った断面図である。
【図９】図５のＤ−Ｄ線に沿った断面図である。
【図１０】図６のＥ−Ｅ線に沿った拡大端面図である。
【図１１】図７のＦ部の拡大図である。
【図１２】第２の実施形態に係る自動車用雨よけ装置２０の外観斜視図である。
【図１３】連結した枠体２１の外観斜視図である。
【図１４】２式の防雨板２を進出させた状態の平面図である。
【図１５】自動車用雨よけ装置２０の使用方法の一例である。
【図１６】防雨板２の抜け防止のための進出防止機構である。
【発明を実施するための形態】
【００１４】
以下、本発明に係る自動車用雨よけ装置の構成例を実施形態に分けて図面を参照して説明する。
（第１の実施形態）
図１、図２は、本実施形態の自動車用雨よけ装置１の外観斜視図である。自動車用雨よけ装置１は、防雨板２と該防雨板２を進退可能に保持する枠体３から構成される。防雨板２は枠体３に進退可能に取り付けられており、図１は防雨板２を最後退位置まで後退させた状態、図２は防雨板２を最進出位置まで進出させた状態を示している。図３は自動車用雨よけ装置１の使用状態を示す一例である。自動車用雨よけ装置１は自動車４の屋根に水平固定され、防雨板２が枠体３から車側側に引き出され、雨の中で荷台に荷物を積み卸しする作業者が雨に濡れるのを防いでいる状態を表している。
【００１５】
図４は枠体３の平面図、図５は防雨板２の平面図、図６は図１のＡ−Ａ線に沿った断面図、図７は図２のＢ−Ｂ線に沿った断面図、図８は図４のＣ−Ｃ線に沿った断面図、図９は図５のＤ−Ｄ線に沿った断面図、図１０は図６のＥ−Ｅ線に沿った拡大端面図、図１１は図７のＦ部の拡大図である。
【００１６】
防雨板２を進退可能に保持する枠体３は図４の平面図に示すように四角形状に形成された枠で、自動車の屋根に水平に取り付けられる。取り付け向きは図３に示すように、防雨板２を車両前方から見て右側に進出させて使用する場合は、防雨板２が進出する側である前側枠材３ａを車両前方から見て右側に、後退する側である後側枠材３ｂを車両前方から見て左側にし、前側枠材３ａ側かみ見て右側の右側枠材３ｃを車両後部側、左側の左側枠材３ｄを車両前部側にして取り付ける。
【００１７】
右側枠材３ｃ、左側枠材３ｄの内側側面には、図８の断面図、図１０の拡大断面図に示すように凹状溝３ｅが形成されている。その凹状溝３ｅは前側枠材３ａから後側枠材３ｂに向かって図１、図８に示すように僅かに上り勾配に形成されている。
【００１８】
防雨板２は枠体３の凹状溝３ｅに入る厚み、左右幅は凹状溝３ｅに嵌まる幅、前後幅は枠体３の前側枠材３ａ、後側枠材３ｂ間の間隔にほぼ等しい幅に形成された四角形状板で、進出端（前側端）の辺側には該辺の幅より少し長い把手棒５が取りつけてある。把手棒５に手で前後方向の力を加えると、防雨板２は左右端部の下面を凹状溝３ｅの溝下側側面に接触させた状態で前後方向（進退方向）に摺動移動する。
【００１９】
防雨板２は図６のＥ−Ｅ線に沿った拡大端面図である図１０に示すように繊維強化プラスチック製の薄板２ａを２枚、貼り合わせたもので、図５に示すように左右端間には狭い幅の補強リブ２ｂが前後方向所定間隔で２枚の薄板２ａ間に挟み込み、強度を確保している。
【００２０】
防雨板２の左右端部上面には図１０、図１１に示すように、表面に波状凹凸を形成した平歯車状凹凸材７を端部の前後方向全域に貼りつけて平歯車状凹凸が形成してある。この平歯車状凹凸材７の凹部をバネ８ａで付勢された押し付け部材８で凹状溝３ｅの下側側面に押し付けることにより、僅かな下り勾配の凹状溝３ｅに取りつけた防雨板２が進出側（前側）に摺動移動するのを防止している。凹状溝３ｅが僅かに傾斜させてあるのは、防雨板２に落ちた雨水を把手棒５方向に移動させるためである。更に、防雨板２の把手棒５近くの上面には、図５に示すように把手棒５側から見て三角山形の薄板２ｃを貼りつけ、把手棒５側に流れた雨水が把手棒５両端方向に流れるようにしてある。
【００２１】
押し付け部材８は、図７に示すように枠体３の右側枠材３ｃ、左側枠材３ｄの前側枠材３ａ近くに凹状溝３ｅを上下方向に拡幅して形成した拡幅部に図１１に示すように取りつけてある。押し付け部材８の先端は丸みを帯びた形状にしてあり、この先端部分で平歯車状凹凸材７の凹部を凹状溝３ｅ下側側面に押し付ける。平歯車状凹凸材７は反対側の端を中心に回転するように取り付けてあり、バネ８ａの付勢力で先端を平歯車状凹凸材７に押し付ける。把手棒５に人力が加えられていない状態では、この押し付け力により防雨板２の移動を防止している。防雨板２を移動させる際は、この押し付け力に抗して押し付け部材８の先端が平歯車状凹凸材７の凸部を乗り越えられる力を把手棒５に加えて移動させる。
【００２２】
防雨板２が進出し過ぎて枠体３から抜け落ちるのを防止するため、防雨板２後部の左右端近くには防雨板側ストッパー棒１０が立設されており、枠体３の左右枠材の防雨板進出側端部近くには内側に向けて枠体側ストッパー棒１１が取り付けられている。防雨板２が前進すると防雨板側ストッパー棒１０が枠体側ストッパー棒１１に当接して防雨板２の更なる前進を阻止して防雨板２の抜け落ちが防止される。
【００２３】
このような構成の自動車用雨よけ装置１を使用すれば、例えば図３に示したように貨物配送車の配送作業者が雨の中で荷物の積み卸しをする際には、防雨板２を引きだしておくことで作業者は雨に濡れず、貨物も雨に濡れずに作業できる。また、車椅子に乗った障害者、高齢者、幼児を抱えた人等が自動車に乗降する際も雨に濡れずに済む利点を有する。
【００２４】
（第２の実施形態）
図１２は第２の実施形態に係る自動車用雨よけ装置２０の外観斜視図である。この自動車用雨よけ装置２０は、図１に示した自動車用雨よけ装置１の２式を左右対称に配置して枠体３の後側枠材３ｂ部分で連結して形成されている。図１３は連結した枠体２１の外観斜視図である。枠体２１には図１２に示すように、枠体２１の前後端から図５に示した第１の実施形態と同じ防雨板２を摺動可能に挿入して使用する。２式の防雨板２は図１４に示すように独立して進退する。
【００２５】
図１５は自動車用雨よけ装置２０の使用方法の一例である。自動車４の屋根に水平固定しおき、雨降り時には左右の防雨板２を引きだして使用する。本実施形態の自動車用雨よけ装置２０を使用すれば、自動車のどちらの車側側から乗降する場合でも、どちら側で作業する場合でも雨に濡れるのを防止できる。
【００２６】
（第３の実施形態）
本実施形態の自動車用雨よけ装置は、前記第１、第２の実施形態の自動車用雨よけ装置の防雨板２を最後退位置に後退、収納した状態で走行する際に、自動車の振動により防雨板２が進出するのを防止する進出防止機構を追加したものである。前述したように枠体３に取り付けた押し付け部材８の先端が防雨板２に取り付けた平歯車状凹凸材７の凹部を凹状溝３ｅの下側側面に常時、押し付けているため防雨板２は簡単には進出しない。しかし、走行時に予想外の振動があった場合等には防雨板２が進出する心配もある。
【００２７】
図１６はその進出防止機構の説明図であり、枠体３の左枠材３ｄを外側から見た図である。枠体３の左枠材３ｄの防雨板進出側端部近くの外側面に回転軸２２を立設し、その回転軸２２周りに垂直旋回するフック２３を取り付ける。防雨板２を最後退位置に後退させた状態では図１６の（１）に示すように、フック２３を防雨板２の把手棒５に掛けて防雨板２の進出を防止する。防雨板２を進出させる際は図１６の（２）に示すように、フック２３を後方側に倒して把手棒５から外して進出を可能にする。このようなフック２３を枠体３の両側に取りつける。このような進出防止機構を取りつけておけば、車両の走行時に予想外の振動があったとしても防雨板２が進出するのが防止される。
【符号の説明】
【００２８】
図面中、１は自動車用雨よけ装置、２は防雨板、３は枠体、３ｅは凹状溝、５は把手棒、７は平歯車状凹凸、８は押し付け部材、８ａはバネ、１０は防雨板側ストッパー棒１０、１１は枠体側ストッパー棒、２２は回転軸、２３はフックを示す。
【要約】
【課題】降雨時の自動車への乗降、貨物の積み卸しに際し乗降者、作業者、積み卸し貨物等が雨に濡れるのを防止する。
【解決手段】自動車屋根に防雨板と枠体とで構成した自動車用雨よけ装置を取り付ける。枠体は四角形状とし車側側から見て左右の枠材内側に手前から僅かに上り勾配の凹状溝を形成し、両端が凹状溝に入る厚みの四角形防雨板を前後摺動可能に取りつける。防雨板は進出端側に把手棒を取りつけ、左右端上面に平歯車状凹凸を辺に沿って形成する。防雨板進出端近くの左右枠材の凹状溝を上下方向に拡幅し、内部に平歯車状凹凸に噛合し、防雨板を凹状溝下側側面に押しつけて移動停止させておくバネで付勢された押し付け部材を取り付ける。防雨板が枠体から抜け落ちるのを防止するストッパーを取りつけておく。
【選択図】図１【図１】
0005976975.tif 000002
【図２】
0005976975.tif 000003
【図３】
0005976975.tif 000004
【図４】
0005976975.tif 000005
【図５】
0005976975.tif 000006
【図６】
0005976975.tif 000007
【図７】
0005976975.tif 000008
【図８】
0005976975.tif 000009
【図９】
0005976975.tif 000010
【図１０】
0005976975.tif 000011
【図１１】
0005976975.tif 000012
【図１２】
0005976975.tif 000013
【図１３】
0005976975.tif 000014
【図１４】
0005976975.tif 000015
【図１５】
0005976975.tif 000016
【図１６】
0005976975.tif 000017